(57)【要約】【課題】コンクリートでなる床面に形成された下穴にケースを収容して確実に埋設固定することができる吊り戸ガイド装置を提供すること。【解決手段】床面Ｆに埋設されるケース１に内蔵され突出後退自在に設けられる昇降体２を有する吊り戸ガイド装置において、前記床面Ｆはコンクリートでなり、同床面Ｆには下穴３が形成され、この下穴３内に収容固定される上方へ開口した略筒状で合成樹脂製の保持部材４を備え、前記ケース１の外周面には係止用突起５が形成されていて、同ケース１が前記下穴３内に収容固定された状態にある保持部材４内に収容され、この保持部材４の内周面に前記係止用突起５が係止されることで、前記ケース１が前記床面Ｆに埋設固定されるようになした。【選択図】図１
2014005669.tif 000002
【特許請求の範囲】
【請求項１】
床面に埋設されるケースに内蔵され突出後退自在に設けられる昇降体が、その上端部を吊り戸本体の下端面に形成された走行溝に突出状態で挿入されて走行ガイドを行う吊り戸ガイド装置であって、前記床面はコンクリートでなり、同床面には下穴が形成され、この下穴内に収容固定される上方へ開口した略筒状で合成樹脂製の保持部材を備え、前記ケースの外周面には係止用突起が形成されていて、同ケースが前記下穴内に収容固定された状態にある保持部材内に収容され、この保持部材の内周面に前記係止用突起が係止されることで、前記ケースが前記床面に埋設固定されるものである吊り戸ガイド装置。
【請求項２】
前記ケースは略円筒形状であり、前記昇降体が前記ケースの中心に対して偏芯した位置に内蔵されていることを特徴とする請求項１記載の吊り戸ガイド装置。
【請求項３】
前記保持部材の内周面に前記係止用突起が係止される軟質層を形成したことを特徴とする請求項１又は２記載の吊り戸ガイド装置。
【請求項４】
前記保持部材は有底略筒状であり、この保持部材が前記下穴内に充填剤を介して収容固定されるものであることを特徴とする請求項１〜３のいずれか一項記載の吊り戸ガイド装置。
【請求項５】
前記保持部材の上端開口縁に外方へ突出した鍔状フランジ部を形成したことを特徴とする請求項４記載の吊り戸ガイド装置。
【発明の詳細な説明】
【技術分野】
【０００１】
本発明は、床面に埋設されるケースに内蔵され突出後退自在に設けられる昇降体が、その上端部を吊り戸本体の下端面に形成された走行溝に突出状態で挿入されて走行ガイドを行う吊り戸ガイド装置に関するものである。
【背景技術】
【０００２】
従来から、図４に示す如く、床面Ｆに埋設されるケース１に内蔵され突出後退自在に設けられる昇降体２が、その上端部を吊り戸本体（図示せず）の下端面に形成された走行溝（図示せず）に突出状態で挿入されて走行ガイドを行う吊り戸ガイド装置（例えば、特開２００５−１６３３８４号公報参照）は知られている。
【０００３】
この吊り戸ガイド装置においては、昇降体２がケース１の中心に対して偏芯した位置に内蔵されており、昇降体２は、これを回動させてその位置を変更することにより、吊り戸の走行軌跡に沿うよう位置調整が可能なものである。また、ケース１の外周面には係止用突起５が形成されており、ケース１が床面Ｆに形成される下穴３内に収容され、この下穴３の内周面に係止用突起５が係止されることで、ケース１は床面Ｆに埋設固定されるものである。
【０００４】
このような吊り戸ガイド装置は、室内の床面Ｆに施工されるものであり、一般に、室内の床面Ｆが木質材でなることを想定して構成されており、床面Ｆにはケース１の外径と略等しい内径となる下穴３が形成され、この下穴３の木質材でなる内周面に係止用突起５は係止される。この場合、木質材でなる床面Ｆには、所望の寸法、形状の下穴３を比較的容易に形成することができるので、このようにして正確に形成された下穴３の内周面には係止用突起５が確実に係止され、ケース１は床面Ｆに対して強固に埋設固定される。
【先行技術文献】
【特許文献】
【０００５】
【特許文献１】特開２００５−１６３３８４号公報
【発明の概要】
【発明が解決しようとする課題】
【０００６】
しかしながら、近年、マンションの増加等に伴い、室内の床面が木質材ではなくＲＣ下地で施工されている場合が多々あって、この場合、床面はコンクリートでなり、この床面には所望の寸法、形状の下穴を正確に形成することが困難である。そのため、コンクリートでなる床面に形成された下穴は、不正確な寸法、形状で且つ内周面が粗くて硬いものとなる。このような下穴に上記従来のような吊り戸ガイド装置のケース１がそのまま収容されると、その外周面の係止用突起５は下穴の内周面に係止され難く、ケース１が床面に対して確実には埋設固定されないという問題があった。
【０００７】
本発明は、上記背景技術に鑑みて発明されたもので、その目的は、コンクリートでなる床面に形成された下穴に対しても、昇降体を内蔵するケースを、その外周面に形成された係止用突起によって、確実に埋設固定することができる吊り戸ガイド装置を提供することである。
【課題を解決するための手段】
【０００８】
上記課題を解決するために、本発明の吊り戸ガイド装置では、床面に埋設されるケースに内蔵され突出後退自在に設けられる昇降体が、その上端部を吊り戸本体の下端面に形成
された走行溝に突出状態で挿入されて走行ガイドを行う吊り戸ガイド装置において、前記床面はコンクリートでなり、同床面には下穴が形成され、この下穴内に収容固定される上方へ開口した略筒状で合成樹脂製の保持部材を備え、前記ケースの外周面には係止用突起が形成されていて、同ケースが前記下穴内に収容固定された状態にある保持部材内に収容され、この保持部材の内周面に前記係止用突起が係止されることで、前記ケースが前記床面に埋設固定されるようになした。
【０００９】
また、本発明の吊り戸ガイド装置では、前記ケースは略円筒形状であり、前記昇降体が前記ケースの中心に対して偏芯した位置に内蔵されていてもよい。
【００１０】
また、本発明の吊り戸ガイド装置では、前記保持部材の内周面に前記係止用突起が係止される軟質層を形成していることが好ましい。
【００１１】
また、本発明の吊り戸ガイド装置では、前記ケースは有底略筒状であり、同ケースが前記下穴内に充填剤を介して収容固定されるものであってもよい。
【００１２】
また、この場合、前記保持部材の上端開口縁に外方へ突出した鍔状フランジ部を形成していることが好ましい。
【発明の効果】
【００１３】
本発明の吊り戸ガイド装置では、コンクリートでなる床面に形成される下穴内に、上方へ開口した略筒状で合成樹脂製の保持部材を収容固定し、この状態で、保持部材内に昇降体が内蔵されたケースを収容することになるので、ケースの外周面に形成された係止用突起は合成樹脂で所定形状に形成された保持部材の内周面に対し正確に係止されて、ケースを確実に埋設固定することができる。
【図面の簡単な説明】
【００１４】
【図１】本発明の一実施形態である吊り戸ガイド装置が施工された状態を示す平面図と断面図
【図２】本発明の別の実施形態である吊り戸ガイド装置が施工された状態を示す平面図と断面図
【図３】同吊り戸ガイド装置における保持部材を示し、（ａ）は施工前の状態における断面図、（ｂ）は施工された状態における断面図
【図４】従来の吊り戸ガイド装置が施工された状態を示す平面図と断面図
【発明を実施するための形態】
【００１５】
図１は、本発明の一実施形態である吊り戸ガイド装置が施工された状態を示している。この実施形態の吊り戸ガイド装置は、床面Ｆに埋設されるケース１に内蔵され突出後退自在に設けられる昇降体２が、その上端部を吊り戸本体（図示せず）の下端面に形成された走行溝（図示せず）に突出状態で挿入されて走行ガイドを行うものである。この場合、床面Ｆはコンクリートでなり、同床面Ｆに下穴３が形成される。また、この吊り戸ガイド装置では、下穴３内に収容固定される上方へ開口した略筒状で合成樹脂製の保持部材４を備え、ケース１の外周面には係止用突起５が形成されている。そして、ケース１が下穴３内に収容固定された状態にある保持部材４内に収容され、この保持部材４の内周面に係止用突起５が係止されることで、ケース１が床面Ｆに埋設固定される。
【００１６】
また、この吊り戸ガイド装置において、ケース１は略円筒形状であり、昇降体２がケース１の中心に対して寸法Ｌだけ偏芯した位置に内蔵されている。また、保持部材４の内周面には係止用突起５が係止される軟質層６を形成している。また、保持部材４は有底略筒状であり、この保持部材４が下穴３内に充填剤７を介して収容固定されるものである。こ
の場合に、保持部材４の上端開口縁に外方へ突出した鍔状フランジ部８を形成している。
【００１７】
以下、この実施形態の吊り戸ガイド装置をより具体的に説明する。この吊り戸ガイド装置は、ケース１と、このケース１に内蔵されて突出後退自在に設けられる昇降体２と、同ケース１を収容して床面Ｆに形成された下穴３内に収容保持させる保持部材４と、を備えている。ケース１及び昇降体２は、特許文献１に記載されたものと略同様の構成を有しているので、その詳細な説明は省略するが、概略は次のような構成、機能である。
【００１８】
ケース１は、略円筒形状の外筒体９と内筒体１０とでなり、外筒体９の外周面に周方向で複数の係止用突起５が一体に突設されている。内筒体１０は、外筒体９内に収容固定されるが、外筒体９に対し中心軸回りに角度を変化させて収容固定されるものである。そして、内筒体１０の上端開口から昇降体２が突出後退自在となるように、昇降体２は内筒体１０の中心に対して寸法Ｌだけ偏芯した位置に内蔵される。したがって、内筒体１０を外筒体９内に角度を変化させて収容固定することによって、昇降体２の位置を吊り戸の走行軌跡に沿うように調整することができる。この場合、施工後であっても、外筒体９に対し内筒体１０を着脱させることによって、昇降体２の位置調整は可能である。
【００１９】
昇降体２は二重筒構造で上下方向に伸縮自在なものであり、ケース１から大きく突出され、ケース１内に後退してコンパクトに収容されるものである。昇降体２の上端部には磁石が内蔵されており、この磁石が吊り戸本体の下端面に形成された走行溝に設けられる磁石或いは磁性体で吸引されることによって、昇降体２は走行溝に挿入係合され、この昇降体２と走行溝とで走行ガイドが行われる。そして、吊り戸本体が吊り戸ガイド装置から外れた位置に走行されると、昇降体２の磁石による磁着状態が解除されて、昇降体２はケース１内に後退して邪魔にならないよう床面Ｆ下に納められる。
【００２０】
保持部材４は上方へ開口した略円筒状に合成樹脂で一体に射出成形されたもので、円筒状の筒本体部１１と、この筒本体部１１の底部分を閉塞する底板部１２と、同筒本体部１１の上端開口全周縁から外方へ一体に突設された鍔状フランジ部８と、を有している。筒本体部１１の内周全面には、軟質合成樹脂、合成ゴム等でなる軟質層６が一体に形成されている。軟質層６には、ケース１の外周面に形成された係止用突起５が係止されるものであり、このような係止状態が確保されるように、保持部材４（筒本体部１１）の内径とケース１（外筒体９）の外径との寸法関係が設定される。
【００２１】
床面Ｆは、居住室内の床であってＲＣ下地として施工されたものであり、コンクリートでなる。床面Ｆには施工時に下穴３が形成され、この下穴３内に保持部材４が収容固定される。この場合、下穴３は、保持部材４の筒本体部１１の外径よりも大きくて保持部材４の鍔状フランジ部８の外径よりも小さければよく、余裕をもった寸法範囲で切削穴あけ作業によって容易に形成することができる。なお、下穴３の深さは、保持部材４の筒本体部１１の筒方向寸法と略等しいか少し大きい寸法とすればよい。
【００２２】
そして、下穴３内に接着剤、シーリング剤、コーキング剤等の充填剤７を注入し、この充填剤７が未硬化の状態で、保持部材４を差し込んで収容し、充填剤７が硬化することによって保持部材４は固定される。この場合、充填剤７が下穴３と保持部材４との間のスペースに充填されても、充填剤７の下穴３からの漏出は鍔状フランジ部８によって防止される。したがって、保持部材４は下穴３内に確実に収容固定され、施工仕上がり外観も良好となる。
【００２３】
下穴３内に収容固定された状態にある保持部材４内には、ケース１が差し込まれて収容される。その際、ケース１の外周面に形成された複数の係止用突起５が保持部材４の内周面に係止されることで、ケース１は保持部材４内に収容保持された状態で床面Ｆに埋設固
定される。この場合、係止用突起５は保持部材４の内周面に形成された軟質層６に食い込むように係止され、ケース１が抜け外れないよう確実に埋設固定される。
【００２４】
したがって、この実施形態の吊り戸ガイド装置においては、コンクリートでなる床面Ｆに形成される下穴３内に、上方へ開口した略筒状で合成樹脂製の保持部材４が収容固定され、この状態で、保持部材４内にケース１を収容することになるので、ケース１の外周面に形成された係止用突起５は合成樹脂で所定形状に形成された保持部材４の内周面に対し正確に係止されて、ケース１を確実に埋設固定することができる。すなわち、施工時にコンクリートでなる床面Ｆに形成されて寸法、形状が不正確となった下穴３であっても、この下穴３に収容固定される保持部材４はケース１に対応した正確な寸法、形状に予め形成されたものであり、しかも、合成樹脂製の保持部材４の内周面は平滑であるため、この内周面に係止用突起５が適切に係止されて、ケース１は確実に埋設固定される。
【００２５】
また、この実施形態の吊り戸ガイド装置においては、ケース１が略円筒形状で、昇降体２はケース１の中心に対して寸法Ｌだけ偏芯した位置に内蔵されているので、ケース１を保持部材４内に角度を変化させて収容固定することによっても、昇降体２の位置を吊り戸の走行軌跡に沿うように調整することができる。また、保持部材４の内周面には、ケース１の係止用突起５が係止される軟質層６を形成してあるため、この軟質層６に係止用突起５は食い込むように係止され、ケース１が抜け外れないよう確実に埋設固定される。
【００２６】
また、この実施形態の吊り戸ガイド装置においては、保持部材４が有底略筒状で、この保持部材４は下穴３内に充填剤７を介して収容固定されるため、保持部材４が下穴３内にがたつかないよう確実に収容固定される。しかも、この場合、保持部材４の上端開口縁に外方へ突出した鍔状フランジ部８が形成されているため、充填剤７の下穴３からの漏出は鍔状フランジ部８によって防止され、保持部材４が下穴３内に確実に収容固定され、施工仕上がり外観も良好となる。
【００２７】
図２、３は、本発明の別の実施形態である吊り戸ガイド装置を示している。なお、ここでは、上記実施形態と相違する事項についてのみ説明し、その他の事項（構成、作用効果等）については、上記実施形態と同様であるのでその説明を省略する。この実施形態の吊り戸ガイド装置において、上記実施形態と相違する点は、上記充填剤７を用いることなく下穴３内に収容固定される保持部材４だけであるので、以下、この点について説明する。
【００２８】
この実施形態の吊り戸ガイド装置にあっても、保持部材４は、上方へ開口した略円筒状に合成樹脂で一体に射出成形されたもので、円筒状の筒本体部１１と、この筒本体部１１の底部分を閉塞する底板部１２と、同筒本体部１１の上端開口全周縁から外方へ一体に突設された鍔状フランジ部８と、を有しているが、筒本体部１１の機能、動作が上記実施形態とは相違する。
【００２９】
すなわち、筒本体部１１は弾性に富んだ合成樹脂でなり、その筒方向中程部分が、内方へ狭まるように弾性変形した形態（図３（ａ）参照）と、外方へ膨らむように弾性変形した形態（図２、図３（ｂ）参照）と、で反転するように弾性変形するものである。施工前の通常時において、筒本体部１１はその筒方向中程部分が内方へ狭まるように弾性変形した形態にあり、施工時に、下穴３内に収容固定された状態にある保持部材４内にケース１を差し込み収容することによって、筒本体部１１はケース１で押し広げられて反転するように弾性変形し、外方へ膨らんだ形態となる。
【００３０】
したがって、施工後には、外方へ膨らむように弾性変形した筒本体部１１の筒方向中程部分の外周面が下穴３の内周面に押圧されることで、保持部材４は下穴３内に収容固定され、その際、ケース１の外周面に形成された係止用突起５が保持部材４の筒本体部１１の
内周面に係止されることで、ケース１は保持部材４内に収容保持される。また、筒本体部１１の筒方向中程部分が外方へ膨らむように弾性変形すると、それに反して筒本体部１１の上端開口は内方へ狭まるように弾性変形し、この筒本体部１１の上端開口部分がケース１の上端付近の外周面に係止することによっても、ケース１は保持部材４内に収容保持される。
【００３１】
したがって、この実施形態の吊り戸ガイド装置においては、充填剤７を用いることなく下穴３内に保持部材４を収容固定することができ、しかも、係止用突起５が保持部材４の筒本体部１１の内周面に係止されることに加え、筒本体部１１の上端開口部分がケース１の上端付近の外周面に係止されるので、ケース１はより簡単、確実に埋設固定される。
【００３２】
なお、上記いずれの実施形態においても、ケース１及び昇降体２として、特許文献１に記載されたものと略同様の構成を有したものを示したが、本発明の吊り戸ガイド装置におけるケース及び昇降体は、これに限られず、例えば、ケースが一重の箱形状で、このケースに偏芯されることなく内蔵される昇降体が単なる棒状で伸縮することなく突出後退自在となったものであってもよい。また、保持部材についても、上記実施形態において示した構成に限られず、上方へ開口した略筒状で合成樹脂製のものであって、床面の下穴に収容固定され、その内周面にケースの係止用突起が係止されるものであればよい。
【符号の説明】
【００３３】
１  ケース
２  昇降体
３  下穴
４  保持部材
５  係止用突起
６  軟質層
７  充填剤
８  鍔状フランジ部
Ｆ  床面
【図１】
2014005669.tif 000003
【図２】
2014005669.tif 000004
【図３】
2014005669.tif 000005
【図４】
2014005669.tif 000006